(57)【要約】【課題】  着せ替えパネルを利用して簡便に機能を制御することが可能な携帯通信端末を提供する。【解決手段】  本発明の一態様にかかる携帯電話機は、複数の機能を有する携帯電話機であって、陥没式ボタン１０２を有する携帯電話本体１００と、陥没式ボタン１０２に対応する位置に突起部１０３を有する着せ替えパネル１０１とを有するものである。このような構成を有することによって、着せ替えパネル１０１を装着すると陥没式ボタン１０２が押下され、この陥没式ボタン１０２の押下に応じて簡便に携帯電話機本体１００の機能を制御することが可能である。【選択図】  図２
2006287780.tif 000002
【特許請求の範囲】
【請求項１】
筐体により覆われた携帯通信端末本体と、前記携帯通信端末本体に対して着脱可能な着せ替えパネルとを備えた携帯通信端末であって、
前記携帯通信端末本体は、前記着せ替えパネルの装着を検出して機能を制御する携帯通信端末。
【請求項２】
前記携帯通信端末本体は、前記着せ替えパネルの装着を検出して通信を制限することを特徴とする請求項１記載の携帯通信端末。
【請求項３】
前記携帯通信端末本体は、複数の機能を実行するものであり、前記着せ替えパネルの装着を検出して複数の機能より任意の機能を選択することを特徴とする請求項１記載の携帯通信端末。
【請求項４】
前記携帯通信端末本体は、撮像機能を有し、前記着せ替えパネルの装着を検出して当該撮像機能を制限することを特徴とする請求項１記載の携帯通信端末。
【請求項５】
前記携帯通信端末本体は、様々なアプリケーションをダウンロード可能であり、
前記着せ替えパネルの装着を検出してダウンロードしたアプリケーションにイベントを通知する請求項１記載の携帯通信端末。
【請求項６】
前記携帯通信端末本体は、陥没式ボタンが設けられ、
前記着せ替えパネルは、当該携帯通信端末本体に設けられた陥没式ボタンと対応する位置に突起が設けられ、
前記携帯通信端末本体は、陥没式ボタンの押下を検出することによって前記着せ替えパネルの装着を検出することを特徴とする請求項１〜５いずれかに記載の携帯通信端末。
【請求項７】
前記着せ替えパネルは複数準備され、
当該複数の着せ替えパネルは、それぞれ異なる長さの突起部を有し、
前記携帯通信端末本体は、陥没式ボタンの押し込み深さに応じて機能の制御を変更することを特徴とする請求項６記載の携帯通信端末。
【請求項８】
前記陥没式ボタンの押し込み深さに応じて変更される機能に通信の制限を含むことを特徴とする請求項７の携帯通信端末。
【発明の詳細な説明】
【技術分野】
【０００１】
本発明は、携帯通信端末に関し、特に詳しくは着せ替えパネルを有する携帯通信端末に関する。
【背景技術】
【０００２】
近年のコンピュータ技術の進歩に伴い携帯通信端末が普及している。その携帯通信端末の中でも、基地局との間で無線通信を行う、携帯電話機やＰＨＳ（Personal Handy phone System）（以下、ＰＨＳも含めて携帯電話機とする）の普及率は、爆発的に上昇している。
【０００３】
携帯電話機においては、同じメーカにおいて製造された同一の機種であっても、異なる事業者に提供される場合には、ＬＣＤ（Liquid Crystal Display）の表示や着信音など初期の設定を変えなければならない場合がある。このため、携帯電話機自体の筐体を構成する電子機器カバーを複数用意し、その装着を選択することにより、携帯電話機の初期設定を切り換える方法が種々提案されている（例えば、特許文献１参照）。
【特許文献１】特開２００２−３３０２０４号公報
【発明の開示】
【発明が解決しようとする課題】
【０００４】
ところで、近年、携帯電話機の急速な普及に伴って、通信エリアが拡大し、どのような場所においても携帯電話機での通信が可能となってきている。一方、利用者が携帯電話機を使用するマナーについて問題視されている。携帯電話の通信を制限するべき公共の場所、例えば、電車内において他人に迷惑をかけたり、病院内において携帯電話機から発する高周波によって医療機器などが誤作動をしてしまうケースが発生している。
【０００５】
しかし、このように携帯電話機での通信を制限するべき場所（電車内や病院内など）における通信機能の制限方法としては、携帯電話機の電源を切るあるいは通信機能を制限する状態に切り換えるように利用者本人に促す方法しか取られていない。
【０００６】
一方、近年の市場の要求に応じて、携帯電話のデザインの変更を目的として、携帯電話機の外側に付加的に取り付ける着せ替えパネルが開発されている。しかし、この着せ替えパネルは、デザイン変更の用途としてしか使用されていないのが現状である。
【課題を解決するための手段】
【０００７】
本発明にかかる携帯移動端末は、筐体により覆われた携帯通信端末本体と、前記携帯通信端末本体に対して着脱可能な着せ替えパネルとを備えた携帯通信端末であって、前記携帯通信端末本体は、前記着せ替えパネルの装着を検出して機能を制御するものである。このような構成を有することによって、着せ替えパネルの装着に応じて簡便に機能を制御することが可能である。
【発明の効果】
【０００８】
本発明によれば、簡便に機能を制御できる携帯通信端末を提供することが可能である。
【発明を実施するための最良の形態】
【０００９】
本発明の実施の形態にかかる携帯通信端末について、図１及び図２を参照して説明する。図１は、本実施の形態にかかる携帯通信端末である携帯電話機の構成を示す模式図である。図２は、図１に示す携帯電話機の断面図である。図１及び図２に示すように、本実施の形態にかかる携帯電話機は、携帯電話機本体１００と着せ替えパネル１０１とを備える。着せ替えパネル１０１は、携帯電話機本体１００に着脱可能に設けられている。ここでは、携帯電話機本体１００に着せ替えパネル１０１が装着されていないところを図示している。携帯電話機本体１００は、それ自体がすでに筐体で覆われ、通常の使用状態においては着せ替えパネル１０１を装着せずに用いることができる。
【００１０】
携帯電話機本体１００の一部には陥没式ボタン１０２が設けられている。一方、着せ替えパネル１０１の携帯電話機本体１００に設けられた陥没式ボタン１０２に対応する位置には、突起部１０３が設けられている。携帯電話機本体１００に着せ替えパネル１０１を装着すると、着せ替えパネル１０１に設けられた突起部１０３により、陥没式ボタン１０２が押し込まれるようになっている。この陥没式ボタン１０２の押し込みに応じて、携帯電話機１００の機能を制御する。この携帯電話機本体１００の機能の制御方法については、後に詳述する。
【００１１】
図３に示すように、携帯電話機本体１００には、デバイスドライバ１０４、制御部１０５、メモリ１０６、通信機能１０７が備えられている。デバイスドライバ１０４は、上述したように着せ替えパネル１０１の装着によって陥没式ボタン１０２が押し込まれたことを検知し、制御部１０５に通知する。制御部１０５は、検知信号に基づいて通信機能を含む様々な機能を制御する。メモリ１０６は、制御部１０５において制御されている機能を特定するデータを記憶する。通信機能１０７は、通信処理を実行する。
【００１２】
ここで、本実施の形態にかかる携帯電話機の機能の制御方法について説明する。本実施の形態においては、着せ替えパネル１０１の装着によって携帯電話機本体１００の通信機能１０７を制御する場合について説明する。携帯電話機本体１００に着せ替えパネル１０１を装着すると、着せ替えパネル１０１に設けられた突起部１０３により携帯電話本体１００の陥没式ボタン１０３が押下される。デバイスドライバ１０４は、陥没式ボタン１０２が押下されたことを検知すると、制御部１０５に陥没式ボタン１０２が押下状態であることを通知する。
【００１３】
通知を受けた制御部１０５は、通信機能１０７の制御を指示する制御情報をメモリ１０６に保存した上で、通信機能１０７における通信を制限する制限信号を送信する。通信機能１０７は制限信号を受信すると、通信を制限する処理を行う。携帯電話機本体１００は、着せ替えパネル１０１が装着されている間、通信を制限し続ける。
【００１４】
その後、携帯電話機本体１００から着せ替えパネル１０１をはずすと、突起部１０３が陥没式ボタン１０２から離れ、押下されていた陥没式ボタン１０２は開放される。デバイスドライバ１０４は、陥没式ボタン１０２が開放されたことを検知すると、制御部１０５に陥没式ボタン１０２が押下状態ではないことを通知する。通知を受信した制御部１０５は、メモリ１０６に記憶したどの機能を制御しているかを示す制御情報、すなわち、制御中の機能を特定する制御情報を引き出す。そして、制御部１０５は通信機能１０７を制御中であることを判別すると、通信機能１０７に通信の制限を解除する解除信号を送信する。通信機能１０７は、解除信号を受信すると、通信の制限を解除する処理を行う。
【００１５】
このように、携帯電話機本体１００に着せ替えパネル１０１を装脱着するだけで、簡便に通信機能１０７を制御することができる。したがって、例えば、病院など携帯電話機の通信を制限したい場所において着せ替えパネル１０１を配布し、携帯電話機本体１００に装着を義務付けることによって通信を制限し、医療機器などの誤動作を防止することができる。
【００１６】
着せ替えパネル１０１の装脱着を判別するためのボタンを陥没式のボタンとしているため、着せ替えパネル１０１の不装着時に利用者が誤ってボタンを押下することがない。これによって、携帯電話機の機能を誤って制御することを防止できる。
【００１７】
図４に示すように、着せ替えパネル１０１を複数準備してもよい。ここでは、３枚の異なる着せ替えパネル１０１を準備する場合について説明する。これら３枚の着せ替えパネル１０１に設けられる突起部１０４の長さはそれぞれ異なる。着せ替えパネルＡ１０１ａに設けられた突起部Ａ１０３ａよりも着せ替えパネルＢ１０１ｂに設けられた突起部Ｂ１０３ｂの長さが長いものとする。また、着せ替えパネルＢ１０１ｂに設けられた突起部Ｂ１０３ｂよりも着せ替えパネルＣ１０１ｃに設けられた突起部Ｃ１０３ｃの長さが長いものとする。
【００１８】
図４（ａ）に示すように、着せ替えパネルＡ１０１ａを携帯電話機本体１００に装着した場合には、着せ替えパネルＡ１０１ａに設けられる突起部Ａ１０３ａの長さに対応して、陥没式ボタン１０２が押し込まれる。すなわち、陥没式ボタン１０２は突起部Ａ１０３ａの長さ分押し込まれる。この着せ替えパネルＡ１０１ａにより陥没式ボタン１０２が押し込まれる深さを深さレベル１とする。
【００１９】
また、図４（ｂ）に示すように、着せ替えパネルＢ１０１ｂを携帯電話機本体１００に装着した場合には、着せ替えパネルＢ１０１ｂに設けられる突起部Ａ１０３ａよりも長さの長い突起部Ｂ１０３ｂの長さに対応して、陥没式ボタン１０２が押し込まれる。この着せ替えパネルＢ１０１ｂにより陥没式ボタン１０２が押し込まれる深さを深さレベル２とする。
【００２０】
図４（ｃ）に示すように、着せ替えパネルＣ１０１ｃを携帯電話機本体１００に装着した場合には、着せ替えパネルＣ１０１ｃに設けられる突起部Ｂ１０２ｂよりも長さの長い突起部Ｃ１０３ｃの長さに対応して、陥没式ボタン１０２が押し込まれる。この着せ替えパネルＣ１０１ｃにより陥没式ボタン１０２が押し込まれる深さを深さレベル３とする。
【００２１】
このような着せ替えパネル１０１を状況に応じて使い分け、陥没式ボタン１０２の押し込み深さのレベルに応じて、それぞれ制御する機能を分担することができる。例えば、陥没式ボタン１０２が深さレベル１まで押し込まれた場合には携帯電話機本体１００に搭載されているカメラ機能を制御するように設定することができる。また、陥没式ボタン１０２が深さレベル２まで押し込まれた場合には、携帯電話機本体１００の通信機能１０７を制御するように設定することができる。そして、陥没式ボタン１０２が深さレベル３まで押し込まれた場合には、携帯電話機本体１００にダウンロードされたＪａｖａ（登録商標）アプリケーションにイベントを送信し、例えば、そのＪａｖａ（登録商標）アプリケーションのキャラクターに変化を起こさせるように設定することができる。
【００２２】
ここで、複数の深さレベルに応じて機能を制御する場合の制御方法について説明する。ここでは、携帯電話機本体１００に着せ替えパネルＢ１０３ｂが装着された場合について説明する。また、着せ替えパネルＢ１０３ｂによる陥没式ボタン１０２の深さレベル２の押し込みが、携帯電話本体１００の通信機能１０７を制御するものとする。携帯電話機本体１００に着せ替えパネルＢ１０１ｂを装着すると、着せ替えパネルＢ１０１ｂに設けられた突起部Ｂ１０３ｂにより携帯電話本体１００の陥没式ボタン１０３が深さレベル２まで押し込まれる。
【００２３】
デバイスドライバ１０４は、陥没式ボタン１０２が深さレベル２まで押し込まれたことを検知すると、制御部１０５に深さレベル２を示すレベル信号と共に、陥没式ボタン１０２が押下されたことを通知する。
【００２４】
通知を受けた制御部１０５は、陥没式ボタン１０２の押し込み深さが深さレベル２であることを判別すると、通信機能１０７の制御を指示する制御情報をメモリ１０６に保存した上で、通信機能１０７に通信を制限する制限信号を送信する。通信機能１０７は、制限信号を受信すると、通信機能１０７を制限する処理を行う。携帯電話機本体１００は、着せ替えパネルＢ１０１ｂが装着されている間、通信機能１０７を制限し続ける。
【００２５】
その後、携帯電話機本体１００から、着せ替えパネルＢ１０１ｂをはずすと、突起部１０３ｂが陥没式ボタン１０２から離れ、押し込まれていた陥没式ボタン１０２は開放される。デバイスドライバ１０４は、陥没式ボタン１０２が開放されたことを検知すると、制御部１０５に陥没式ボタン１０２が押下状態ではないことを通知する。通知を受信した制御部１０５は、メモリ１０６に記憶したどの機能を制御しているかを示す制御情報を引き出す。そして、制御部１０５は通信機能１０７を制御中であることを判別すると、通信機能１０７に通信の制限を解除する解除信号を送信する。送信機能１０７は、解除信号を受信すると、通信状態の制限を解除する処理を行う。
【００２６】
このように、長さの異なる突起部１０３を有する着せ替えパネル１０１を複数準備することによって、着せ替えパネル１０１に設けられた突起部１０３が携帯電話機本体１００の陥没式ボタン１０２を押し込む深さが異なる。したがって、陥没式ボタン１０２の押し込み深さに応じて複数の種類のイベントとして扱うことができ、着せ替えパネル１０１毎に別の機能を制御することが可能である。
【００２７】
したがって、例えば、カメラの使用が禁止されているようなイベント会場などで着せ替えパネルＡ１０１ａを配布し、携帯電話機本体１００に装着を義務付けることによって、カメラ機能が起動しないように制限をかけることも可能である。また、病院など携帯電話機の通信を制限したい場所において着せ替えパネルＢ１０１ｂを配布し、通信を制限し、医療機器などの誤動作を防止することができる。
【００２８】
以上のように、携帯電話機本体１００に着脱可能に設けられる着せ替えパネル１０１を装脱着することによって、従来のようにデザインの変更の用途だけでなく、簡便に携帯電話機本体１００の機能を制御することができる。また、異なる長さの突起部１０３をそれぞれに設けた複数の着せ替えパネル１０１を用意し、陥没式ボタン１０２の押し込みの深さレベルを判別することにより、着せ替えパネル１０１を付け替えるだけで、一つの機能の制御に限らず複数の機能を制御することが可能となる。
【００２９】
上述の例では、１つの陥没式ボタン１０２を設ける例を説明したが、これに限らず、複数の陥没式ボタン１０２を設けるようにしてもよい。この場合、押下される陥没式ボタンに応じて異なる機能を制御するようにしてもよい。また、上述の例における陥没式ボタン１０２に替えて、電気的、磁気的、もしくは光学的に着せ替えパネル１０１の装着を検出するようにしてもよい。
【図面の簡単な説明】
【００３０】
【図１】実施の形態にかかる携帯電話機の構成を示す模式図である。
【図２】実施の形態にかかる携帯電話機の構成を示す断面図である。
【図３】実施の形態にかかる携帯電話機の他の構成を示す模式図である。
【図４】実施の形態にかかる携帯電話機の構成を示すブロック図である。
【符号の説明】
【００３１】
１００  携帯電話機本体
１０１  着せ替えパネル
１０２  陥没式ボタン
１０３  突起部
１０４  デバイスドライバ
１０５  制御部
１０６  メモリ
１０７  通信機能
【図１】
2006287780.tif 000003
【図２】
2006287780.tif 000004
【図３】
2006287780.tif 000005
【図４】
2006287780.tif 000006